(57)【要約】【課題】洗濯時に洗浄力を維持しつつ乾燥時に乾燥ムラが発生するのを防ぐこと。【解決手段】洗濯兼脱水槽の内壁に複数の凹部５４と凸部５５を有するカバー５３を設け、洗濯物とこれら凹凸とが擦れあって汚れを落とすことができるとともに、乾燥時においては、洗濯物がこの凹凸にひっかかりにくくなり、洗濯物どうしの絡みを抑止し、洗濯物が団子状態になるのを防止することができる。【選択図】図１
2010240294.tif 000002
【特許請求の範囲】
【請求項１】
水受け槽内に回転自在に配設した洗濯兼脱水槽と、前記洗濯兼脱水槽を駆動する駆動手段と、前記洗濯兼脱水槽の内底部に回転自在に配した回転翼と、温風供給路を通じて前記洗濯兼脱水槽内に供給される温風を加熱する加熱手段と、前記洗濯兼脱水槽内に温風を供給する送風手段とを備え、前記洗濯兼脱水槽の内壁に複数の凸部と凹部を有するカバーを設け、前記カバーは、前記凸部において略中央部の高さを左右両端部より高くしたことを特徴とする洗濯乾燥機。
【発明の詳細な説明】
【技術分野】
【０００１】
本発明は、洗濯兼脱水槽内の洗濯物を洗濯し、乾燥まで実施する洗濯乾燥機に関する。
【背景技術】
【０００２】
従来の洗濯機は、パルセーター（回転翼）と呼ばれる回転翼を回転させて洗濯、乾燥するものであり、この種の洗濯機の構成を図４、図５を参照しながら説明する。
【０００３】
図４に示すように、洗濯兼脱水槽２は、その底面部に上面中央部が凸形状の回転翼１を回転自在に配設し、この洗濯兼脱水槽２の外側に水受け槽９を設けている。水受け槽９の底面には、洗濯兼脱水槽２と回転翼１を駆動するモータ５を取り付け、駆動部の切換を行うクラッチ装置（図示せず）を介して、洗濯兼脱水槽２または回転翼１を駆動するよう構成している。また、水受け槽９は外枠４にサスペンション３を介して防振支持している。洗濯兼脱水槽２の上部には、液体を内封した流体バランサー１０を固定している。洗濯兼脱水槽２の内壁にはカバー（循環水路）１３を固定している。
【０００４】
制御装置１４は、モータ５、排水弁８、給水弁１１などを制御して、洗濯、すすぎ、脱水の一連の行程を逐次制御するものである。
【０００５】
また、図５に示すように、カバー１３には凹部４４と凸部４５が設けられている。  上記構成において動作を説明すると、洗濯兼脱水槽２に洗濯物と所定量の洗剤を投入した後、洗濯を開始すると制御装置１４により給水弁１１を制御して洗濯兼脱水槽２内に所定量の水を給水し、その後制御装置１４により、モータ５を制御して回転翼１を駆動する。回転翼１の回転によって洗濯兼脱水槽２内の洗濯物と水とを攪拌し、洗濯物の汚れに作用することとなる。
【０００６】
特に、カバー１３に設けられた凹部４４と凸部４５により、洗濯時に回転翼１を回転すると水流により洗濯物がこれら凹凸と接触して洗濯板と同様の効果をもたらし、洗濯物とこれら凹凸とが擦れあって汚れを落とすことができるものである（特許文献１参照）。
【０００７】
また、特許文献２のように、循環送風経路にヒータと送風ファンを設けて温風を循環させることにより、洗濯兼脱水槽内の乾燥対象物を乾燥させる洗濯乾燥機が存在する。
【先行技術文献】
【特許文献】
【０００８】
【特許文献１】特開平７−５９９８７号公報
【特許文献２】特開２００１−１２９２８７号公報
【発明の概要】
【発明が解決しようとする課題】
【０００９】
しかしながら、このような従来の構成の洗濯乾燥機の場合、洗濯兼脱水槽２の中に洗濯物を入れ、機械力を加えて回転翼１の回転で洗濯しようとした場合、洗濯物とこれら凹凸とが擦れあって汚れを落とすことができるものの、乾燥時には、洗濯物がこの凹凸にひっかかるため、洗濯物どうしが徐々に絡み合い、洗濯物どうしが固まった団子状態になることがある。この状態で洗濯兼脱水槽２を回転させて乾燥を行った場合、洗濯物に温風があたらないので乾燥しにくく乾燥ムラが発生するという問題を有していた。
【００１０】
本発明は、上記従来の課題を解決するもので、洗濯時に洗浄力を維持しつつ乾燥時に乾
燥ムラが発生するのを防ぐことを目的としている。
【課題を解決するための手段】
【００１１】
上記従来の課題を解決するために、本発明の洗濯乾燥機は、水受け槽内に回転自在に配設した洗濯兼脱水槽と、前記洗濯兼脱水槽を駆動する駆動手段と、前記洗濯兼脱水槽の内底部に回転自在に配した回転翼と、温風供給路を通じて前記洗濯兼脱水槽内に供給される温風を加熱する加熱手段と、前記洗濯兼脱水槽内に温風を供給する送風手段とを備え、前記洗濯兼脱水槽の内壁に複数の凸部と凹部を有するカバーを設け、前記カバーは、前記凸部において略中央部の高さを左右両端部より高くしたことを特徴としている。
【００１２】
これにより、前記洗濯兼脱水槽内に入れた洗濯物に前記回転翼などによる機械力を加えて洗濯する場合に、前記洗濯兼脱水槽内に凸部と凹部により構成されたカバーにより、洗濯物がこれら凹凸と接触して洗濯板と同様の効果をもたらし、洗濯物とこれら凹凸とが擦れあって汚れを落とすことができるとともに、乾燥時においては、洗濯物がこの凹凸にひっかかりにくくなり、洗濯物どうしの絡みを抑止し、洗濯物が団子状態になるのを防止することができる。
【発明の効果】
【００１３】
本発明の洗濯機は、洗濯時に洗濯物と凸部と凹部とが擦れあって汚れを落とすことができ、乾燥時においては、洗濯物がこの凹凸にひっかかりにくくなり、洗濯物どうしの絡みを抑止し、洗濯物が団子状態になるのを防止して乾燥ムラが発生するのを防ぐことができる。
【図面の簡単な説明】
【００１４】
【図１】本発明の実施の形態１の洗濯乾燥機の縦断面図
【図２】同洗濯乾燥機のカバーの表面図
【図３】同洗濯乾燥機のカバーの断面図
【図４】従来の洗濯機の縦断面図
【図５】従来の洗濯機のカバーの表面図
【発明を実施するための形態】
【００１５】
第１の発明は、水受け槽内に回転自在に配設した洗濯兼脱水槽と、前記洗濯兼脱水槽を駆動する駆動手段と、前記洗濯兼脱水槽の内底部に回転自在に配した回転翼と、温風供給路を通じて前記洗濯兼脱水槽内に供給される温風を加熱する加熱手段と、前記洗濯兼脱水槽内に温風を供給する送風手段とを備え、前記洗濯兼脱水槽の内壁に複数の凸部と凹部を有するカバーを設け、前記カバーは、前記凸部において略中央部の高さを左右両端部より高くしたことを特徴としている。
【００１６】
これにより、前記洗濯兼脱水槽内に入れた洗濯物に前記回転翼などによる機械力を加えて洗濯する場合に、前記洗濯兼脱水槽内に凸部と凹部により構成されたカバーにより、洗濯物がこれら凹凸と接触して洗濯板と同様の効果をもたらし、洗濯物とこれら凹凸とが擦れあって汚れを落とすことができるとともに、乾燥時においては、洗濯物がこの凹凸にひっかかりにくくなり、洗濯物どうしの絡みを抑止し、洗濯物が団子状態になるのを防止して乾燥ムラが発生するのを防ぐことができる。
【００１７】
以下、本発明の実施の形態について、図面を参照しながら説明する。なお、従来例と同じ構成のものは同一符号を付して説明を省略する。また、この実施の形態によって本発明が限定されるものではない。
【００１８】
（実施の形態１）
図１は本発明の実施の形態１における洗濯乾燥機の側断面図を示す図である。図１に示すように、内部に複数のサスペンション１７によって弾性的に吊り下げた水受け槽１８を設け、脱水時の振動をサスペンション１７によって吸収する構成としている。水受け槽１８の内部には、洗濯物および乾燥対象物を収容する洗濯兼脱水槽１９を中空で２重構造とした洗濯・脱水軸（略垂直軸）を中心に回転可能に支持し、洗濯兼脱水槽１９の内底部に洗濯物や乾燥対象物を撹拌する裏面に羽根部を設けたパルセータ（回転翼）２１を回転自在に設けている。
【００１９】
また、洗濯兼脱水槽１９の内部周壁には小孔（図示せず）を多数設けるとともに、上方には流体バランサ２２を設けている。パルセータ２１はその形状を外周を傾斜面とした鍋型にすることにより、乾燥工程においては、乾燥対象物をパルセータ２１の回転による遠心力で傾斜面に沿って上方へと舞い上がりやすくしている。
【００２０】
モータ（駆動手段）２３は、外槽１８の底部に取り付け、洗濯または脱水時に回転力の伝達を洗濯・脱水軸２０に切り換えるクラッチ２４と洗濯・脱水軸を介して、洗濯兼脱水槽１９またはパルセータ２１に連結している。
【００２１】
洗濯兼脱水槽１９の内壁にカバー５３を固定し、洗濯兼脱水槽１９とこの内壁を上下方向に覆った部材であるところのカバー５３との間に循環水路Ａを設けている。これは、回パルセータ２１が回転した時に、その裏面に設けた羽根部により洗濯水がこの循環水路Ａを通って上から降り注ぐための通路となっており、この循環水路Ａは複数あっても良く少なくとも１つ設けている。
【００２２】
図１に示すように、カバー５３は、循環水路Ａの数に対応して洗濯兼脱水槽１９内に少なくとも１つ設定される。また、図２に示すように、カバー５３の表面には、複数の凸部５５と凹部５４を設ける。
【００２３】
この凸部５５は、図３に示すように、略中央部の高さを左右両端部より高くしており、中央部から左右両端部に向かっていくにつれ、曲面形状であるカバー５３とほぼ同等の面とし凹凸差をなくして凸部を形成しないようにしている。
【００２４】
循環ダクト２５は、一端を循環路切り替え弁２６、伸縮自在の下部蛇腹状ホース２７を介して水受け槽１８の下部に接続し、他端を乾燥用送風機（送風手段）２８の一端に接続している。乾燥用送風機２８の他端は、加熱手段であるヒータ２９を有する温風供給路３０に接続し、上部蛇腹状ホース３１を通って、洗濯兼脱水槽１９へ繋がり循環する経路を構成している。
【００２５】
水受け槽１８には、水受け槽１８の上面を気密的に覆う中蓋３２を設けており、この中蓋３２に伸縮自在の上部蛇腹状ホース３１からの温風噴出孔３３を開口している。また、この中蓋３２に開閉蓋３４を設け、衣類を出し入れするようにしている。水受け槽１８の底部に排水弁３５を設けている。
【００２６】
冷却用送風機（冷却手段）３６は、筐体１６の上面に取り付け、筐体１６の内部に上方から水受け槽１８、循環ダクト２５などを冷却するように送風できるよう構成している。
【００２７】
上記構成において動作を説明する。洗濯行程から脱水行程までは、洗濯兼脱水槽１９に洗濯物を投入して通常の洗濯機の動作により進行する。
【００２８】
まず、洗濯時に図示しない給水弁によって水受け槽１８ならびに洗濯兼脱水槽１９に所定量の水が給水され、何らかの方法で水に洗剤が溶解される。その後、モータ３５を駆動
させることによりパルセータ２１を回転させ、水流により衣類の汚れを落とす。
【００２９】
このとき、カバー５３に設けられた複数の凸部５５と凹部５４に洗濯物が接触して洗濯板と同様の効果をもたらし、洗濯物とこれら凹凸とが擦れあって汚れを落とすことができる。
【００３０】
所定時間洗濯工程を行い、排水、洗濯兼脱水槽１９を高速回転させて脱水を行った後、すすぎ工程においてもモータ３５を駆動させることによりパルセータ２１を回転させ、水流により衣類の洗剤成分を水に溶解させる。
【００３１】
このとき、カバー５３に設けられた複数の凸部５５と凹部５４に洗濯物が接触して洗濯板と同様の効果をもたらし、洗濯物とこれら凹凸とが擦れあって洗濯物の洗剤成分をより早く水に溶解させることができる。
【００３２】
このすすぎ工程を１回もしくは複数回実施し、排水、洗濯兼脱水槽１９を高速回転させて最終脱水を行った後、乾燥工程に移り、乾燥用送風機２８による送風とヒータ２９による発熱により、温風供給路３０、上部蛇腹状ホース３１を通して洗濯兼脱水槽１９内へ温風を送り込む。この温風は、洗濯物の水分を奪った後、洗濯兼脱水槽１９から水受け槽１８の内側へ出た後、下部蛇腹状ホース２７を通過して、循環ダクト２５へ至る。この流れを図１では矢印で示している。
【００３３】
洗濯物の水分を奪って湿気を含んだ温風が、水受け槽１８の内壁や循環ダクト２５内を通過しているとき、筐体１６の上面に設置した冷却送風機３６による外部空気の流入で、水受け槽１８や循環ダクト２５の外壁は冷却されることになり、その内部では、水分の結露が起こり、湿った温風は除湿されて乾燥用送風機２８へ戻る。この循環路で温風を循環させることにより、洗濯兼脱水槽１９内の乾燥対象物を乾燥させることができる。結露した水分３７は、排水弁３５より適宜排出される。
【００３４】
この乾燥工程においては、乾燥対象物をパルセータ２１の回転による遠心力で傾斜面に沿って上方へと舞い上がりやすくしているが、カバー５３の表面には、複数の凸部５５と凹部５４を設け、この凸部５５は、図３に示すように、略中央部の高さを左右両端部より高くしており、中央部から左右両端部に向かっていくにつれ、曲面形状であるカバー５３とほぼ同等の面とし凹凸差をなくして凸を形成しないようにしているので、洗濯物が舞い上がったときにも、この凹凸にひっかかりにくくなり、洗濯物どうしの絡みを抑止し、洗濯物が団子状態になるのを防止して乾燥ムラが発生するのを防ぐことができる。
【００３５】
なお、本実施の形態では循環水路Ａを確保しているが、洗濯兼脱水槽１９とカバー５３とを密着させ循環水路Ａを形成しなくてもよい。
【００３６】
また、本実施例では、温風を循環路を通して循環させているが、排気方式としても差し支えはない。
【産業上の利用可能性】
【００３７】
以上のように本発明にかかる洗濯機は、洗濯時に洗濯物と凸部と凹部とが擦れあって汚れを落とすことができ、乾燥時においては、洗濯物がこの凹凸にひっかかりにくくなり、洗濯物どうしの絡みを抑止し、洗濯物が団子状態になるのを防止することができるので、洗濯機等の用途に有用である。
【符号の説明】
【００３８】
１８  水受け槽
１９  洗濯兼脱水槽
２１  パルセータ（回転翼）
２３  モータ（駆動手段）
２８  送風手段
２９  ヒータ（加熱手段）
５３  カバー
５４  凹部
５５  凸部
【図１】
2010240294.tif 000003
【図２】
2010240294.tif 000004
【図３】
2010240294.tif 000005
【図４】
2010240294.tif 000006
【図５】
2010240294.tif 000007